(57)【要約】【課題】電線の挿入が容易であり且つ電線との電気的な接続が的確に行われる通電金具、その通電金具を備えるランプソケット、及びそのランプソケットを備える照明器具を提供する。【解決手段】通電金具１は、電線４０が挿入される挿入孔１６を備える基部１５と、基部１５の一端側に接続され、挿入孔１６から挿入された電線４０をガイドすると共に電気的に接続する電線受け部１４と、基部１５の他端側に接続され、基部１５の他端側から電線受け部１４の側に電線４０が挿入される方向に屈曲し、先端２０において電線４０を電線受け部１４の側に付勢する鎖錠部１７と、を有し、電線受け部１４は、電線４０を鎖錠部１７の側に傾斜させる。【選択図】図６
2015201342.tif 000002
【特許請求の範囲】
【請求項１】
電線が挿入される挿入孔を備える基部と、
前記基部の一端側に接続され、前記挿入孔から挿入された電線をガイドすると共に電気的に接続する電線受け部と、
前記基部の他端側に接続され、前記基部の他端側から前記電線受け部の側に前記電線が挿入される方向に屈曲し、先端において前記電線を前記電線受け部の側に付勢する鎖錠部と、を有し、
前記電線受け部は、
前記電線を前記鎖錠部の側に傾斜させる
通電金具。
【請求項２】
前記電線受け部は、
前記電線を押圧して、前記電線を前記鎖錠部の側に傾斜させる傾斜面を有する
請求項１記載の通電金具。
【請求項３】
前記電線受け部は、
前記電線を押圧して、前記電線を前記鎖錠部の側に傾斜させる凸部を有する
請求項１又は２記載の通電金具。
【請求項４】
請求項１〜３のいずれか１項に記載の通電金具を有する
ランプソケット。
【請求項５】
前記電線受け部、前記基部及び前記鎖錠部を収納し、前記電線受け部を押圧して、前記電線受け部を前記鎖錠部の側に傾斜させる突起部を備える端子収納部を更に有する
請求項４記載のランプソケット。
【請求項６】
請求項４又は５記載のランプソケットと、
前記ランプソケットが設けられた器具本体と、
前記器具本体に設けられ、前記ランプソケットに取り付けられる発光管を点灯させる点灯装置と、を有する
照明器具。
【発明の詳細な説明】
【技術分野】
【０００１】
本発明は、通電金具、その通電金具を備えるランプソケット、及びそのランプソケットを備える照明器具に関する。
【背景技術】
【０００２】
照明器具に備わるランプソケットには、発光管を点灯するために必要な電力を通電するため、通電金具が設けられている（例えば、特許文献１、２参照）。この通電金具には、工具を使用せずに電線を取り付けることを可能とし、電線を接続する信頼性を確保することが容易な速結端子が設けられている場合がある。なお、この速結端子は、ソケット又はコネクタ等の多くの機器の内部に収納されており、これにより、電線を結線することが簡素化されている。
【０００３】
特許文献１には、電線接続器に挿入された電線が、押しばねの鎖錠ばね片に食い込んで、プリント基板と鎖錠ばね片とが電線を挟持することによって、電線が保持されると共に電気的な接続が行われる基板用端子装置が開示されている。
【０００４】
また、結線された電線に対して、荷重、回転又は衝撃等の外的要因が加えられると、電線が抜けてしまう虞もある。特に、電線が通電されている活線である場合、感電又は火災等に繋がる虞がある。そこで、これを解消することを目的として、特許文献２には、電線が、錠ばねの鎖錠片と端子板とに挟持されており、電線が挿入される電線挿入孔の入口側の開口と出口側の開口とが偏心された配線器具が開示されている。この特許文献２は、電線挿入孔を偏心させることによって、電線が引っ張られた場合においても、鎖錠片の食い込みが維持され、電線と端子板との接触を確保しようとするものである。
【先行技術文献】
【特許文献】
【０００５】
【特許文献１】特開平９−１０２３４０号公報（第４頁、図３）
【特許文献２】特許第３６８７５６２号公報（第４頁〜第５頁、図６）
【発明の概要】
【発明が解決しようとする課題】
【０００６】
しかしながら、特許文献１に開示された基板用端子装置は、電線が結線された後、この電線が、プリント基板から離れる方向に引っ張られると、電線が屈曲され、鎖錠ばね片の食い込みが緩くなるため、電線が抜け易くなってしまう。また、特許文献２に開示された配線器具は、電線挿入孔が偏心されているため、電線挿入孔に対し電線が斜めに挿入される。このため、電線は、鎖錠片の先端よりも若干基端の側に当たり、電線を挿入するために多大な力が必要となる。従って、電線の挿入時に電線が傷む虞がある。
【０００７】
本発明は、上記のような課題を背景としてなされたもので、電線の挿入が容易であり且つ電線との電気的な接続が的確に行われる通電金具、その通電金具を備えるランプソケット、及びそのランプソケットを備える照明器具を提供するものである。
【課題を解決するための手段】
【０００８】
本発明に係る通電金具は、電線が挿入される挿入孔を備える基部と、基部の一端側に接続され、挿入孔から挿入された電線をガイドすると共に電気的に接続する電線受け部と、基部の他端側に接続され、基部の他端側から電線受け部の側に電線が挿入される方向に屈曲し、先端において電線を電線受け部の側に付勢する鎖錠部と、を有し、電線受け部は、電線を鎖錠部の側に傾斜させる。
【発明の効果】
【０００９】
本発明によれば、電線受け部が、電線を鎖錠部の側に傾斜させるため、電線の挿入が容易であり且つ電線との電気的な接続が的確に行われる。
【図面の簡単な説明】
【００１０】
【図１】実施の形態１に係る照明器具３を示す斜視図である。
【図２】実施の形態１に係るランプソケット２を示す正面側斜視図である。
【図３】実施の形態１に係るランプソケット２を示す背面側斜視図である。
【図４】実施の形態１に係るランプソケット２の分解斜視図である。
【図５】実施の形態１に係るランプソケット２を示す正面断面図である。
【図６】実施の形態１に係る通電金具１を示す正面断面図である。
【図７】実施の形態１に係る通電金具１及び電線４０を示す正面断面図である。
【図８】比較例１に係るランプソケット２ａを示す正面断面図である。
【図９】比較例１に係る通電金具１ａを示す正面断面図である。
【図１０】比較例１に係る通電金具１ａ及び電線４０ａを示す正面断面図である。
【図１１】実施の形態１の変形例に係る通電金具５０を示す斜視図である。
【図１２】実施の形態１の変形例に係る通電金具５０を示す正面断面図である。
【図１３】実施の形態２に係る通電金具１００を示す正面断面図である。
【発明を実施するための形態】
【００１１】
以下、本発明に係る通電金具、ランプソケット及び照明器具の実施の形態について、図面を参照しながら説明する。なお、以下に説明する実施の形態によって本発明が限定されるものではない。また、図１を含め、以下の図面では各構成部材の大きさの関係が実際のものとは異なる場合がある。
【００１２】
実施の形態１．
図１は、実施の形態１に係る照明器具３を示す斜視図である。この図１に基づいて、照明器具３について説明する。図１に示すように、照明器具３は、天井等に取り付けられ長手方向（矢印Ｙ方向）に延びる器具本体３１と、器具本体３１の両端部に取り付けられた２個のランプソケット２と、これらの２個のランプソケット２に着脱自在に取り付けられた発光管３３を点灯させる電源装置であり、反射板３２の内部に設けられた点灯装置（図示せず）とを備えている。なお、器具本体３１の側面は、発光管３３から照射される光を反射する反射板３２となっている。
【００１３】
図２は、実施の形態１に係るランプソケット２を示す正面側斜視図、図３は、実施の形態１に係るランプソケット２を示す背面側斜視図、図４は、実施の形態１に係るランプソケット２の分解斜視図である。図２、図３、図４に示すように、ランプソケット２は、発光管３３の端部が取り付けられる円形の開口部２５が正面に設けられ、背面が台形筒状のソケット本体２１と、円形の開口部２５と反対側の面を覆う台形板状のソケットカバー２２とを備えている。
【００１４】
ランプソケット２には、上端部に、発光管３３の端部に設けられたランプピン（図示せず）が挿入されるピン挿入部２６が設けられている。
【００１５】
そして、ランプソケット２は、回転子２３を備えている。この回転子２３は、ソケット本体２１の背面側から、ソケット本体２１の円形の開口部２５に挿入されている。この回転子２３は、周縁部にフランジが形成された円筒状をなしており、この回転子２３を半割するように軸方向（矢印Ｙ方向）の途中まで切り欠かれたピン挿入溝２４が形成されている。このピン挿入溝２４が、ソケット本体２１のピン挿入部２６と重ねられた状態で、回転子２３がソケット本体２１の円形の開口部２５に収容される。これにより、ランプピンは、ピン挿入部２６及びピン挿入溝２４に挿入される。
【００１６】
また、ランプソケット２は、一対の通電金具１を備えている。一対の通電金具１は、回転子２３の円筒状部分を両側から囲うように、ソケット本体２１に取り付けられている。この通電金具１は、ソケット本体２１の上下方向（矢印Ｚ方向）に延び断続的に折り曲げられた板状部１１と、板状部１１の下端部に設けられ、点灯装置から配線された電線４０と接続される端子である速結端子１３とを備えている。板状部１１には、ランプピンに接続される凹状のピン受け部１２が設けられている。
【００１７】
図５は、実施の形態１に係るランプソケット２を示す正面断面図である。図５に示すように、速結端子１３は、ソケット本体２１の端子収納部２７に収納されており、ピン受け部１２は、回転子２３の円筒状部分の外周に設置されている。端子収納部２７は、ソケット本体２１の下部に設置されており、電線４０が挿入される孔を備えている。そして、速結端子１３は、電線４０から給電される電力を、ピン受け部１２及びランプピンを介して、発光管３３に供給する。これにより、発光管３３が発光する。
【００１８】
図６は、実施の形態１に係る通電金具１を示す正面断面図である。図６に示すように、通電金具１における速結端子１３は、電線受け部１４と、基部１５と、鎖錠部１７とを備えており、これらが、端子収納部２７に収納されている。基部１５は、電線４０が挿入される挿入孔１６を備えるものである。また、電線受け部１４は、基部１５の一端側に接続され、挿入孔１６から挿入された電線４０をガイドすると共に電気的に接続するものである。そして、鎖錠部１７は、基部１５の他端側に接続され、基部１５の他端側から電線受け部１４の側に電線４０が挿入される方向（矢印Ｚ方向）に屈曲し、先端２０において電線４０を電線受け部１４の側に付勢するものである。
【００１９】
また、電線受け部１４は、電線４０を鎖錠部１７の側に傾斜させるものであり、本実施の形態１では、これを、電線受け部１４が、電線４０を押圧して電線４０を鎖錠部１７の側に傾斜させる傾斜面１９を備えることにより実現している。なお、電線受け部１４は、この傾斜面１９と、ソケット本体２１の上下方向（矢印Ｚ方向）に平行の方向に延びる直線部１８とを備えている。
【００２０】
図７は、実施の形態１に係る通電金具１及び電線４０を示す正面断面図である。図７に示すように、基部１５における挿入孔１６から、電線４０の被覆が剥ぎ取られた芯線４１が挿通されると、芯線４１の先端４２は、電線受け部１４と鎖錠部１７の先端２０とに当たる。そして、更に挿通されていくと、芯線４１の先端４２が、鎖錠部１７を押し上げ、芯線４１は、電線受け部１４と鎖錠部１７の先端２０との間に挟まれる。このように、鎖錠部１７は、電線４０が挿入されると、電線４０を付勢して、電線４０を電線受け部１４と先端２０にて挟持するものである。これにより、電線４０が保持されると共に、電線４０と通電金具１とが電気的に接続される。
【００２１】
また、電線４０が、電線受け部１４と鎖錠部１７の先端２０との間に挟まれると、電線４０は、電線受け部１４における傾斜面１９によって、鎖錠部１７の側に基部１５に対し平行の方向（矢印Ｘ方向）に対し傾斜角度θで傾斜する。これにより、鎖錠部１７は、電線４０によって、芯線４１の挿入方向（矢印Ｚ方向）と、この挿入方向に対し垂直の方向（矢印Ｘ方向）とに、弾性力がかかる。なお、電線４０の挿入力は、芯線４１に鎖錠部１７が食い込むことによって発生するため、電線４０の挿入力は大きくならない。
【００２２】
次に、本実施の形態１に係る通電金具１の作用について説明する。図７に示すように、電線４０が速結端子１３に結線された後、ランプソケット２が器具本体３１に組み込まれるとき、又は器具本体３１の内部での電線４０の引き回し等によって、電線４０は、ランプソケット２から抜ける方向に引っ張られる。ここでは、電線４０が、方向Ａ（通電金具１の下方及び電線受け部１４の側の方向）、方向Ｂ（通電金具１の下方）及び方向Ｃ（通電金具１の下方及び鎖錠部１７の側の方向）に引っ張られたときに、電線４０にかかる負荷について説明する。
【００２３】
先ず、電線４０が方向Ａに引っ張られたときに、電線４０にかかる負荷について説明する。電線４０が方向Ａに引っ張られると、芯線４１は、鎖錠部１７に向かって倒れ込み、鎖錠部１７に荷重をかける。従って、芯線４１は、鎖錠部１７に更に食い込み、その結果、電線４０の保持及び電気的接続は維持される。
【００２４】
次に、電線４０が方向Ｂに引っ張られたときに、電線４０にかかる負荷について説明する。電線４０が方向Ｂに引っ張られると、芯線４１も同様に方向Ｂに引っ張られようとするものの、芯線４１は、電線受け部１４における傾斜面１９によって、鎖錠部１７の側に傾斜している。このため、芯線４１の先端４２は、鎖錠部１７に引っ掛かり、その結果、電線４０の保持及び電気的接続は維持される。
【００２５】
次に、電線４０が方向Ｃに引っ張られたときに、電線４０にかかる負荷について説明する。電線４０が方向Ｃに引っ張られると、芯線４１は、鎖錠部１７から遠ざかって電線受け部１４の側に寄る。しかしながら、芯線４１は、電線受け部１４における傾斜面１９によって、鎖錠部１７の側に傾斜しているため、芯線４１が電線受け部１４の側に寄っても、芯線４１への鎖錠部１７の食い込みが維持される。従って、電線４０の保持及び電気的接続は維持される。
【００２６】
以上説明したように、本実施の形態１に係る通電金具１は、電線４０が方向Ａ、方向Ｂ及び方向Ｃといったあらゆる方向に引っ張られても、電線４０の保持及び電気的接続を維持することができる。即ち、電線４０は、常に、鎖錠部１７の側に荷重がかけられた状態になっている。また、電線４０の挿入力が、芯線４１に鎖錠部１７が食い込むことによって発生するため、電線４０の挿入力は大きくならない。このため、電線４０の挿入が容易である。
【００２７】
なお、本実施の形態１に係る通電金具１と比較するため、比較例１に係る通電金具１ａについて説明する。図８は、比較例１に係るランプソケット２ａを示す正面断面図である。図８に示すように、通電金具１ａにおいて、速結端子１３ａは、ソケット本体２１ａの端子収納部２７ａに収納されており、ピン受け部１２ａは、回転子２３ａの外周に設置されている。速結端子１３ａは、接続される電線４０ａから給電される電力を、ピン受け部１２ａ及びランプピンを介して、発光管３３に供給する。これにより、発光管３３が発光する。
【００２８】
図９は、比較例１に係る通電金具１ａを示す正面断面図である。図９に示すように、通電金具１ａにおける速結端子１３ａは、電線受け部１４ａと、基部１５ａと、鎖錠部１７ａとを備えている。基部１５ａは、電線４０ａが挿入される挿入孔１６ａを備えるものである。また、電線受け部１４ａは、基部１５ａの一端側に接続され、挿入孔１６ａから挿入された電線４０ａをガイドすると共に電気的に接続するものである。そして、鎖錠部１７ａは、基部１５ａの他端側に接続され、基部１５ａの他端側から電線受け部１４ａの側に電線４０ａが挿入される方向（矢印Ｚ方向）に屈曲し、先端２０ａにおいて電線４０ａを電線受け部１４ａの側に付勢するものである。
【００２９】
なお、電線受け部１４ａは、電線４０ａを鎖錠部１７ａの側に傾斜させていない点で、本実施の形態１と相違する。
【００３０】
図１０は、比較例１に係る通電金具１ａ及び電線４０ａを示す正面断面図である。図１０に示すように、基部１５ａにおける挿入孔１６ａから、電線４０ａの被覆が剥ぎ取られた芯線４１ａが挿通されると、芯線４１ａの先端４２ａは、電線受け部１４ａと鎖錠部１７ａの先端２０ａとに当たる。そして、更に挿通されていくと、芯線４１ａの先端４２ａが、鎖錠部１７ａを押し上げていき、やがて、芯線４１ａは、電線受け部１４ａと鎖錠部１７ａの先端２０ａとの間に挟まれる。このように、鎖錠部１７ａは、電線４０ａが挿入されると、電線４０ａを押圧して、電線４０ａを電線受け部１４ａと先端２０ａにて挟持するものである。これにより、電線４０ａが保持されると共に、電線４０ａと通電金具１ａとが電気的に接続される。なお、電線４０ａの挿入力は、芯線４１ａに鎖錠部１７ａが食い込むことによって発生するため、電線４０ａの挿入力は小さい。
【００３１】
次に、比較例１に係る通電金具１ａの作用について説明する。図１０に示すように、電線４０ａが速結端子１３ａに結線された後、ランプソケット２ａが器具本体３１ａに組み込まれるとき、又は器具本体３１ａの内部での電線４０ａの引き回し等によって、電線４０ａは引っ張られる。ここでは、電線４０ａが、方向Ａ（通電金具１ａの下方及び電線受け部１４ａの側の方向）、方向Ｂ（通電金具１ａの下方）及び方向Ｃ（通電金具１ａの下方及び鎖錠片の側の方向）に引っ張られたときに、電線４０ａにかかる負荷について説明する。
【００３２】
先ず、電線４０ａが方向Ａに引っ張られたときに、電線４０ａにかかる負荷について説明する。電線４０ａが方向Ａに引っ張られると、芯線４１ａは、鎖錠部１７ａに向かって倒れ込み、鎖錠部１７ａに荷重をかける。従って、芯線４１ａは、鎖錠部１７ａに更に食い込み、その結果、電線４０ａの保持及び電気的接続は維持される。
【００３３】
次に、電線４０ａが方向Ｂに引っ張られたときに、電線４０ａにかかる負荷について説明する。電線４０ａが方向Ｂに引っ張られると、芯線４１ａも同様に方向Ｂに引っ張られようとするが、芯線４１ａの先端４２ａは、鎖錠部１７ａに食い込んでいるため、芯線４１ａの先端４２ａが、鎖錠部１７ａの先端２０ａよりも下方に抜けるまでは、電線４０ａの保持及び電気的接続は維持される。
【００３４】
次に、電線４０ａが方向Ｃに引っ張られたときに、電線４０ａにかかる負荷について説明する。電線４０ａが方向Ｃに引っ張られると、芯線４１ａは、鎖錠部１７ａから遠ざかって電線受け部１４ａの側に寄る。これにより、芯線４１ａへの鎖錠部１７ａの食い込みが弱まり、その結果、電線４０ａが抜け易くなる。
【００３５】
なお、上記実施の形態１では、電線受け部１４に傾斜面１９を設けた構成を説明している。図１１は、実施の形態１の変形例に係る通電金具５０を示す斜視図、図１２は、実施の形態１の変形例に係る通電金具５０を示す正面断面図である。実施の形態１の変形例として、図１１、図１２に示すように、通電金具５０において、傾斜面１９の代わりに、電線受け部１４は、電線４０を押圧して、電線４０を鎖錠部１７の側に傾斜させる凸部５１を備えていてもよい。この場合においても、凸部５１が、電線４０を鎖錠部１７の側に傾斜させるため、電線４０があらゆる方向に引っ張られても、電線４０の保持及び電気的接続を維持することができる。更に、電線受け部１４は、傾斜面１９と凸部５１とのいずれをも備えるように構成してもよい。
【００３６】
実施の形態２．
次に、本実施の形態２に係る通電金具１００について説明する。図１３は、実施の形態２に係る通電金具１００を示す正面断面図である。本実施の形態２は、ランプソケット１０２における端子収納部１２７が突起部１２８を備えており、電線受け部１１４に傾斜面１９が設けられていない点で、実施の形態１と相違する。本実施の形態２では、実施の形態１と共通する部分は同一の符号を付して説明を省略し、実施の形態１との相違点を中心に説明する。
【００３７】
図１３に示すように、端子収納部１２７における壁面のうち、電線受け部１１４に対向する壁面には、突起部１２８が設けられている。この突起部１２８は、電線受け部１１４を押圧して、電線受け部１１４を鎖錠部１１７の側に傾斜させるものである。これにより、通電金具１００に接続された電線１４０は、突起部１２８によって傾斜された電線受け部１１４に沿って、鎖錠部１１７の側に傾斜する。
【００３８】
このように、本実施の形態２に係る通電金具１００は、突起部１２８によって、電線１４０が鎖錠部１１７の側に傾斜しているため、あらゆる方向に引っ張られても、電線１４０の保持及び電気的接続を維持することができるという実施の形態１と同様の効果を奏する。また、電線１４０の挿入力が、芯線１４１に鎖錠部１１７が食い込むことによって発生するため、電線１４０の挿入力は大きくならない。このため、電線１４０の挿入が容易である。
【００３９】
なお、本発明の通電金具は、実施の形態１における傾斜面１９と、実施の形態２における突起部１２８とを、両方備えた通電金具としてもよいし、凸部５１を備えた通電金具としてもよい。
【符号の説明】
【００４０】
１、１ａ  通電金具、２、２ａ  ランプソケット、３  照明器具、１１、１１ａ  板状部、１２、１２ａ  ピン受け部、１３、１３ａ  速結端子、１４、１４ａ  電線受け部、１５、１５ａ  基部、１６、１６ａ  挿入孔、１７、１７ａ  鎖錠部、１８  直線部、１９  傾斜面、２０、２０ａ  先端、２１、２１ａ  ソケット本体、２２  ソケットカバー、２３、２３ａ  回転子、２４、２４ａ  ピン挿入溝、２５  開口部、２６、２６ａ  ピン挿入部、２７、２７ａ  端子収納部、３１、３１ａ  器具本体、３２  反射板、３３  発光管、４０、４０ａ  電線、４１、４１ａ  芯線、４２、４２ａ  先端、５０  通電金具、５１  凸部、１００  通電金具、１０２  ランプソケット、１１３  速結端子、１１４  電線受け部、１１５  基部、１１６  挿入孔、１１７  鎖錠部、１２０  先端、１２７  端子収納部、１２８  突起部、１４０  電線、１４１  芯線、１４２  先端。
【図１】
2015201342.tif 000003
【図２】
2015201342.tif 000004
【図３】
2015201342.tif 000005
【図４】
2015201342.tif 000006
【図５】
2015201342.tif 000007
【図６】
2015201342.tif 000008
【図７】
2015201342.tif 000009
【図８】
2015201342.tif 000010
【図９】
2015201342.tif 000011
【図１０】
2015201342.tif 000012
【図１１】
2015201342.tif 000013
【図１２】
2015201342.tif 000014
【図１３】
2015201342.tif 000015